(57)【要約】【課題】洗浄体を設けた取付カバーを弾性カバーに装着して構成される洗車具において、前記取付カバーから弾性カバーを取り外して交換する。【解決手段】弾性カバー３に装着する取付カバー４と洗浄体431とにより泡立て体５を挟む洗浄ヘッド11を備えた洗車具１において、取付カバー４は、可撓性を有する内錐台側面42及び外錐台側面41を重ねて形成される錐台状で、下周縁で前記内錐台側面42及び外錐台側面41を接合し、上周縁を開放して、前記上周縁から母線方向に延びる挿入スリット411を前記外錐台側面41にのみ設け、弾性カバー３は、下周縁から母線方向に延びる少なくとも１条の分割スリット33により周方向に対向する弾性カバー端縁部331を形成し、取付カバー４は、挿入スリット411から内錐台側面42及び外錐台側面41の間に弾性カバー端縁部331から徐々に挿入させて弾性カバー３に装着する。【選択図】図１
2013220760.tif 000002
【特許請求の範囲】
【請求項１】
内外に連通する空気孔を設けた錐台状の弾性カバーに装着する取付カバーと、前記取付カバーの下周縁に設けられた洗浄体とにより、液状洗剤が供給される泡立て体を挟む洗浄ヘッドを備えた洗車具において、
取付カバーは、可撓性を有する内錐台側面及び外錐台側面を重ねて形成される錐台状で、下周縁で前記内錐台側面及び外錐台側面を接合し、上周縁を開放して、前記上周縁から母線方向に延びる挿入スリットを前記外錐台側面にのみ設け、
弾性カバーは、下周縁から母線方向に延びる少なくとも１条の分割スリットにより周方向に対向する弾性カバー端縁部を形成し、
取付カバーは、挿入スリットから内錐台側面及び外錐台側面の間に弾性カバー端縁部から徐々に挿入させて弾性カバーに装着することを特徴とする洗車具。
【請求項２】
弾性カバーは、下周縁から母線方向に延びる多数条の分割スリットにより多数の弾性片を形成し、
取付カバーは、挿入スリットから内錐台側面及び外錐台側面の間に弾性片を順次挿入させて弾性カバーに装着する請求項１記載の洗車具。
【請求項３】
取付カバーは、挿入スリットを挟んで周方向に対向する取付カバー端縁部が周方向に重なり合う請求項１又は２いずれか記載の洗車具。
【請求項４】
取付カバーは、外錐台側面の母線が弾性カバーの分割スリットの長さ以下である請求項１〜３いずれか記載の洗車具。
【発明の詳細な説明】
【技術分野】
【０００１】
本発明は、手作業での洗車に適した洗車具に関する。
【背景技術】
【０００２】
手作業での洗車に適した洗車具については、泡立ちをよくする改良が続けられている。特許文献１は、泡立ちのよい洗車具として、液状洗剤の供給ノズルを底面に設けた洗剤タンクの前記底面を上面とし、内外に連通する空気孔を設けた錐台状の弾性カバーに装着する取付カバーと、前記取付カバーの下周縁に設けられた毛皮洗浄体（ムートン）とにより、泡立て体を挟む洗浄ヘッドを備えた洗車具を開示する。泡立て体は、洗剤タンクの供給ノズルに接続される環状パイプに環状網体を外嵌した構成で、前記環状パイプに多数の供給孔が設けられている（特許文献１［請求項１］）。
【０００３】
洗剤タンクに貯留された液状洗剤は、環状パイプ内に供給され、弾性カバー内の圧力変動や環状パイプの圧縮及び復元を利用して前記環状パイプの供給孔から環状網体内に放出され、前記環状網体内で水と撹拌される。泡立て体は、水と撹拌された液状洗剤が網目に膜を張り、環状網体の内外に流入又は流出する空気が前記膜を膨らませて泡を生成する（特許文献１［0011］）。環状網体は、相対的に網目の小さい内環状網体と相対的に網目の大きい外環状網体との二重構造であると好ましい（特許文献１［0012］）。特許文献１が開示する洗車具は、水を吸わない環状網体から構成される泡立て体による泡立ちがよい（特許文献１［0016］）。
【先行技術文献】
【特許文献】
【０００４】
【特許文献１】特開2010-189164公報
【発明の概要】
【発明が解決しようとする課題】
【０００５】
特許文献１が開示する洗車具の弾性カバーは、弾性を備えた樹脂板又は金属板を円錐状にまるめて形成され、弾性カバーに装着する取付カバーの下周縁に毛皮洗浄体を設ける（特許文献１［0010］）。具体的な弾性カバーは、下周縁から母線方向に延びる多数条の分割スリットにより多数の弾性片を形成し、弾性カバーの変形量を大きくする（特許文献１［0014］）と共に、取付カバーに設けた母線方向の縫着線により区画された部分に前記弾性片を２枚１組として挿入させ、取付カバーの空気孔と弾性カバーの空気孔とが周方向にずれることを防止している（特許文献１［0029］）。
【０００６】
連通する取付カバーの空気孔と弾性カバーの空気孔とは、泡立て体にできるだけ近いところから空気が取り込めるように、取付カバー及び弾性カバーが重なる下周縁近傍に設けていた。このため、取付カバーと弾性カバーとの周方向の位置ズレが問題となり、縫着線による位置ズレ防止対策が必要であった。しかし、前記縫着線は、両者を分離し難くし、取付カバーから弾性カバーを取り外して交換できない問題をもたらしていた。
【０００７】
特許文献１が開示する洗車具は、特に泡立て体に近いところに空気孔を設けなくても十分に泡立ち、取付カバーに重ならない位置で弾性カバーにのみ空気孔を設ければよいことが分かった。これから、縫着線をなくし、取付カバーから弾性カバーを取り外せるようになった。ところが、取付カバー及び弾性カバーはいずれも錐台状であるため、取付カバーから弾性カバーを分離したり、改めて再装着したりするには工夫が必要である。そこで、取付カバーから弾性カバーを取り外して交換できる洗車具を開発するため、検討した。
【課題を解決するための手段】
【０００８】
検討の結果開発したものが、内外に連通する空気孔を設けた錐台状の弾性カバーに装着する取付カバーと、前記取付カバーの下周縁に設けられた洗浄体とにより、液状洗剤が供給される泡立て体を挟む洗浄ヘッドを備えた洗車具において、取付カバーは、可撓性を有する内錐台側面及び外錐台側面を重ねて形成される錐台状で、下周縁で前記内錐台側面及び外錐台側面を接合し、上周縁を開放して、前記上周縁から母線方向に延びる挿入スリットを前記外錐台側面にのみ設け、弾性カバーは、下周縁から母線方向に延びる少なくとも１条の分割スリットにより周方向に対向する弾性カバー端縁部を形成し、取付カバーは、挿入スリットから内錐台側面及び外錐台側面の間に弾性カバー端縁部から徐々に挿入させて弾性カバーに装着することを特徴とする洗車具である。
【０００９】
本発明が適用される洗車具は、取付カバーと洗浄体に挟まれた泡立て体に液状洗剤を供給した状態で、洗浄体を車体に宛てがって弾性カバーを弾性変形させて空気孔から取付カバーの内側に空気を取り込み、前記弾性カバーの弾性変形に従って圧縮及び復元を繰り返す泡立て体で液状洗剤と空気とを混ぜて泡を生成する。弾性カバーは、液状洗剤の供給ノズルを底面に設けた洗剤タンクの前記底面を上面とし、防水性又は耐水性と弾性とを備えた樹脂板又は金属板を円錐状に丸めて形成する。取付カバーは、防水性又は耐水性と可撓性とを備えた生地を円錐状に丸めて形成する。洗浄体は、取付カバーの下周縁に設ける環状体で、スポンジ、モップやムートン（毛皮）を例示できる。泡立て体は、供給された洗浄液体を保持し、圧縮及び復元を繰り返す弾性を備えた環状体で、スポンジのほか、特許文献１に挙げられた二重の環状網体を例示できる。
【００１０】
取付カバーは、挿入スリットから内錐台側面及び外錐台側面の間に弾性カバー端縁部から挿入させ、弾性カバーを360度以上回転させることにより、前記内錐台側面及び外錐台側面の間に弾性カバーを挟む込み、装着する。弾性カバーは、弾性カバー端縁部の間隔を狭める又は弾性カバー端縁部を重ねるように弾性変形させ、そのまま取付カバーの上周縁から上方に引き抜くことにより、前記取付カバーから取り外せる。こうして、本発明の洗車具は、取付カバーから弾性カバーを取り外して交換できる。これから、弾性カバーに対する取付カバーの着脱を円滑にする観点から、両者は相似な錐台状（母線の傾斜角が等しい錐台状）であることが望ましい。
【００１１】
具体的には、弾性カバーは、下周縁から母線方向に延びる多数条の分割スリットにより多数の弾性片を形成し、取付カバーは、挿入スリットから内錐台側面及び外錐台側面の間に弾性片を順次挿入させて弾性カバーに装着する構成がよい。この場合、弾性片が弾性カバー端縁部となる。多数の弾性片を形成した弾性カバーは、変形量が大きくなるので、空気孔を通じた空気の取込量が増え、前記泡立て体により生成される泡を増加させるほか、取付カバーから引き抜く際の弾性変形が柔軟になり、前記取付カバーからの引き抜きが容易になる。
【００１２】
取付カバーは、挿入スリットを挟んで周方向に対向する取付カバー端縁部が周方向に重なり合う構成にすると、外側の取付カバー端縁部が内側の取付カバー端縁部を押えて、挿入スリットを挟んで取付カバー端縁部が開くことを抑制又は防止できる。また、弾性カバー端縁部は、外側の取付カバー端縁部と内側の取付カバー端部とが重なった部分を挿入スリットとして、前記外側の取付カバー端部の内側＝挿入スリットに周方向一方向からしか挿入できなくなり、弾性カバー端縁部の挿入方向が特定される。
【００１３】
また、取付カバーは、外錐台側面の母線が弾性カバーの分割スリットの長さ以下であるとよい。内錐台側面及び外錐台側面は、下周縁で接合しているから、外錐台側面の母線を弾性カバーの分割スリットの長さ以下にすると、上周縁に囲まれた範囲が広くなり、弾性カバーを引き抜きやすくなる。また、外錐台側面の母線が弾性カバーの分割スリットの長さ以下であれば、弾性カバー端縁部又は弾性片の下周縁を内錐台側面及び外錐台側面の下周縁に揃えた位置関係（弾性カバーに取付カバーを装着し終えた位置関係）で、前記弾性カバー端縁部又は弾性片を挿入スリットから挿入でき、装着作業が容易になる。
【００１４】
ここで、取付カバーは、外錐台側面の母線を、厳密に弾性カバーの分割スリットの長さ以下にする必要がない。なぜなら、取付カバーは可撓性を、弾性カバーは弾性をそれぞれ備えているため、外錐台側面の母線は弾性カバーの分割スリットの長さより若干長く（数mm程度）ても、外錐台側面を撓ませたり、弾性カバーの弾性カバー端縁部又は弾性片を弾性変形させれば、弾性カバー端縁部又は弾性片の下周縁を内錐台側面及び外錐台側面の下周縁に揃えた位置関係で前記弾性カバー端縁部又は弾性片を挿入スリットから挿入できるからである。これから、本発明の「外錐台側面の母線が弾性カバーの分割スリットの長さ以下」に、外錐台側面の母線が弾性カバーの分割スリットの長さより若干長い場合も含まれる。
【発明の効果】
【００１５】
本発明は、内外に連通する空気孔を設けた錐台状の弾性カバーに装着する取付カバーと、前記取付カバーの下周縁に設けられた洗浄体とにより、液状洗剤が供給される泡立て体を挟む洗浄ヘッドを備えた洗車具において、取付カバーから弾性カバーを取り外して交換できるようにする。弾性カバーは、樹脂板又は金属板を円錐状にまるめて形成され、破損しない範囲で弾性変形させるため、通常交換の必要性がないが、本発明を適用して交換可能にすることにより、例えば洗車具を何かにぶつけて弾性カバーを破損させた場合に交換でき、洗車具の利便性を向上させる。
【図面の簡単な説明】
【００１６】
【図１】本発明の洗車具の一例を示す斜視図である。
【図２】本例の洗車具の分解斜視図である。
【図３】本例の洗車具の断面図である。
【図４】弾性カバーに取付カバーを装着する前の斜視図である。
【図５】取付カバーの挿入スリットから弾性片を挿入し始めた段階の図４相当斜視図である。
【図６】弾性片の半分を取付カバーの内円錐側面及び外円錐側面の間に挿入した段階の図４相当斜視図である。
【図７】弾性カバーに取付カバーを装着し終えた段階の図４相当斜視図である。
【図８】分割スリットが１条のみである別例の弾性カバーに取付カバーを装着する前の図４相当斜視図である。
【図９】取付カバーから弾性カバーを引き抜いた段階の図４相当斜視図である。
【発明を実施するための形態】
【００１７】
以下、本発明を実施するための形態について図を参照しながら説明する。本発明を適用した洗車具１は、特許文献１の開示する洗車具と概ね同じ構成である。具体的には、図１〜図３に見られるように、揺動自在な柄12を接続した洗剤タンク２と、前記洗剤タンク２の底面から錐台状に広がる弾性カバー３と、下周縁に洗浄体431を設けてあり、前記弾性カバー３に装着する取付カバー４とから洗浄ヘッド11を構成する。本発明の洗車具１と特許文献１が開示する洗車具との相違点は、弾性カバー３に対して取付カバー４を着脱自在な点にある。このほか、本例の洗車具１は洗浄体431がモップである。
【００１８】
本例の洗車具１の構成を説明する。泡立て体５は、供給パイプ51が接続される接続口521を設けた環状パイプ52に内環状網体53及び外環状網体54を二重に外嵌して構成される。供給パイプ51及び環状パイプ52は、弾性を備えた樹脂製パイプである。環状パイプ52は、供給される液状洗剤６を放出する供給孔（図示略）を複数設けている。内環状網体53及び外環状網体54は、いずれも樹脂製ネットを円筒状に丸めて構成される。本例の内環状網体53及び外環状網体54は、相対的に内環状網体53の網目を小さく、外環状網体54の網目を大きくしている。
【００１９】
泡立て体５は、取付カバー４の下周縁に縫着された環状基布43に設けられた洗浄体431に囲まれた開放下面から、環状パイプ52を弾性変形させながら押し込み、取付カバー４の内錐台側面42と前記環状基布43とに挟まれて保持される。そして、洗剤タンク２の底面に突出する供給ノズル211と環状パイプ52の接続口521とを接続し、前記環状パイプ52に液状洗剤６の供給を受ける。本例の泡立て体５は、取付カバー４の内錐台側面42と前記環状基布43とに挟まれた状態から取り出しやすいように、樹脂製網からなる取出フラップ541を外環状網体54の点対称位置に一対設けている。
【００２０】
洗剤タンク２は、上面を開放し、底面から下方に供給ノズル211を突出させた樹脂製の筒状本体21と、前記上面に着脱自在な蓋22とから構成される。蓋22は、洗浄タンク２内外の圧力平衡を図る通気孔221を設けている。柄12は、金属製棒に樹脂製グリップを装着した構成で、筒状本体21に設けられた柄取付ボックス212へ先端を差し込んで揺動軸121により軸着し、柄取付ボックス212の範囲内で上下に揺動する。例えば弾性カバー３又は取付カバー４内に直接水を供給する場合、図示を省略するが、柄12から洗剤タンク２にかけて貫通させた給水ホースの放水端を供給ノズル211の横から突出させる。
【００２１】
筒状本体21は、底面の供給ノズル211を囲む内周面に雌ネジ213を設け、円錐台側面に倣った傾斜面からなる錐台受け面214を形成している。環状雄ネジ23は、下周縁に前記錐台受け面214に対向する傾斜面からなる錐台フランジ232を設け、前記錐台フランジ232から点対称に一対の羽根231を設けている。環状雄ネジ23は、上下に連通する中心部分に供給パイプ51を通しながら、筒状本体21の雌ネジ213に螺着する。液状洗剤６は、洗剤タンク２の筒状本体21内に貯留され、供給ノズル211に接続された供給パイプ51を通して、少しずつ泡立て体５の環状パイプ52に供給される。
【００２２】
弾性カバー３は、錐台受け面214及び錐台フランジ232に上周縁が挟まれ、洗剤タンク２の底面を上面として錐台状に広がるように前記洗剤タンク２に取り付けられる。これから、弾性カバー３は、環状雄ネジ23を緩めれば洗剤タンク２から取り外し、交換できる。本例の洗浄ヘッド11は、後述する取付カバー４の内錐台側面42が内側に垂れないように、前記内錐台側面42の内側から宛てがう内押さえカバー24の上周縁を、錐台受け面214及び錐台フランジ232により挟んで、保持している。
【００２３】
弾性カバー３は、弾性を備えた樹脂板を錐台状にまるめ、前記樹脂板の一方の側縁部に設けた接続フラップを、前記樹脂板の他方の側縁部に設けた接続スリットに差し込んで、前記接続フラップと前記樹脂板の他方の側縁部とが重なる部分を鳩目で接合して構成される。鳩目は、空気孔31となる。本例の弾性カバー３は、下周縁から母線方向に延びる多数条の分割スリット33により、放射状に延びる多数の弾性片32を形成している。弾性片32が、弾性カバー端縁部となる。弾性片32は、弾性変形することにより、泡立て体５を上方から押さえつけたり、取付カバー４の上周縁から引き抜きやすくしたりする（後掲図９参照）。
【００２４】
取付カバー４は、防水性布を上記弾性カバー３と相似に錐台状にまるめ、両側縁部を縫着した内錐台側面42及び外錐台側面41を重ねて形成され、下周縁で前記内錐台側面42及び外錐台側面41を接合して両者の下周縁を併せて縁布を縫着し、上周縁を開放して両者それぞれに縁布を縫着している。挿入スリット411は、外錐台側面41にのみ、上周縁から母線方向斜めに延び、前記上周縁同様縁布を縫着している。本例の取付カバー４は、周方向に対向する一対の取付カバー端縁部412,412を互いに交差するようにそれぞれ斜行させ、内外に重なる前記取付カバー端縁部412,412が重なって形成される隙間を挿入スリット411としている。
【００２５】
本例の洗車具１は、次のように、泡立て体５で泡を生成する。本例の洗車具１は、水を吹き付ける車体７に洗浄体431を押し当てながら、柄12を持って洗浄ヘッド11を車体７に押さえつけたり、力を緩めたりして（図３中白抜き両矢印参照）、弾性カバー３の弾性片32を個々に弾性変形させる。こうして、弾性カバー３及び取付カバ−４により形成される洗浄ヘッド11の内部空間が拡大及び縮小を繰り返すと、一時的に負圧が形成される。本例の洗車具１は、前記負圧を利用して、環状パイプ52の供給孔521から液状洗剤６を放出させ、液状洗剤６と水とを撹拌して内環状網体53又は外環状網体54の網目に膜を張り、弾前記膜を膨らませて泡を生成する。
【００２６】
以下、弾性カバー３に対する取付カバー４の着脱手順を説明する。まず、図４に見られるように、弾性カバー３を取付カバー４の内錐台側面42及び外錐台側面41の上方から重ねる。本例の弾性カバー３及び取付カバー４は、相似な錐台状であるため、取付カバー４の有する縁布等の段差を除いて、密着状態で重ねることができる。このとき、すべての弾性片32は、取付カバー４の外錐台側面41より外側にある。本例の洗車具１は、弾性カバー３と内押さえカバー24とで取付カバー４の内錐台側面42を挟むため、弾性カバー３に取付カバー４を装着する段階では、洗剤タンク２と弾性カバー３とを分離している。
【００２７】
取付カバー４に重ねた弾性カバー３は、図５に見られるように、左回り（図５中白抜き矢印参照）に回し、取付カバー４の挿入スリット411から弾性片32を外錐台側面41の内側に入れ始める。本例の取付カバー４は、挿入スリット411を形成する取付カバー端縁部412が母線に対して斜行しているため、弾性片32の先端（下端）から徐々に挿入スリット411から外錐台側面41の内側に挿入できる利点がある。挿入スリット411から弾性片32を入れ始めた弾性カバー３は、図６に見られるように、更に左回り（図６中白抜き矢印参照）に回し続けて弾性片32を順次外錐台側面41の内側に入れていき、図７に見られるように、すべての弾性片32を外錐台側面41の内側に入れることにより、取付カバー４の装着を完了させる。
【００２８】
弾性カバー３は、最低限１条の分割スリット33を設け、周方向に対向する弾性カバー端縁部331を形成していれば、図８に見られるように、対向する一方の弾性カバー端縁部331を取付カバー４の挿入スリット411から挿入することにより、上述同様、取付カバー４を装着させることができる。１条の分割スリット33しか設けない弾性カバー３は、多数の分割スリット33により多数の弾性片32を形成する本例の弾性カバー３に比べ、全体として弾性変形量が小さくなるが、本発明の特徴である取付カバー４の着脱は、多数の弾性片32を形成する弾性カバー３同様に実施できる。
【００２９】
こうして、弾性カバー３に対して取付カバー４の装着を終えた後、取付カバー４の内錐台側面42に下方から内押さえカバー24を宛てがい、弾性カバー３と前記取付カバー４の内錐台側面42とを一体に、洗剤タンク２の錐台受け面214と環状雄ネジ23の錐台フランジ232とで挟み、洗剤タンク２に前記環状雄ネジ23を螺着すれば、洗浄ヘッド11（図１参照）が完成する。予め弾性カバー３を洗剤タンク２に取り付けてあれば、弾性カバー３に取付カバー４を装着した時点で、前記洗浄ヘッド11が完成する。
【００３０】
弾性カバー３から取付カバー４を取り外すには、予め環状雄ネジ23を緩めて弾性カバー３を洗剤タンク２から取り外しておき、図９に見られるように、例えば取付カバー４に対して傾けながら弾性カバー３を弾性変形させたり、併せて取付カバー４を撓ませたりして、前記取付カバー４の外錐台側面41の上周縁に囲まれた範囲から前記弾性カバー３を上方へ引き抜く。本例の弾性カバー３は、弾性片32が個々に弾性変形するので、取付カバー４の外錐台側面41の上周縁に囲まれた範囲から引き抜きやすい。分割スリット33が長ければ、それだけ弾性片32の弾性変形量も大きくなるので、例えば取付カバー４から真っ直ぐ上に弾性カバー３を引き抜くこともできる。
【符号の説明】
【００３１】
１  洗車具
11  洗浄ヘッド
12  柄
２  洗剤タンク
21  筒状本体
22  蓋
23  環状雄ネジ
24  内押さえカバー
３  弾性カバー
31  空気孔
32  弾性片
33  分割スリット
４  取付カバー
41  外錐台側面
42  内錐台側面
43  環状基布
５  泡立て体
51  供給パイプ
52  環状パイプ
53  内環状網体
54  外環状網体
６  液状洗剤
７  車体
【図１】
2013220760.tif 000003
【図２】
2013220760.tif 000004
【図３】
2013220760.tif 000005
【図４】
2013220760.tif 000006
【図５】
2013220760.tif 000007
【図６】
2013220760.tif 000008
【図７】
2013220760.tif 000009
【図８】
2013220760.tif 000010
【図９】
2013220760.tif 000011